(57)【要約】【課題】表示装置において、画質の向上を図ることを目的とする。【解決手段】互いに空間を開けて対向するように配置された透明な前面側基板１及び背面側基板２と、前面側基板１及び背面側基板２に形成されかつ複数の表示セル３が形成されるように前記空間を区切る井桁形状の隔壁４と、前面側基板１及び背面側基板２の互いに対向する面に形成された電極５、６と、前記隔壁４により区切られた空間に配置された色及び帯電特性の異なる２種類の表示粒子７、８とを備えた表示装置の製造方法において、背面側基板２のそれぞれの井桁形状の隔壁４内に表示粒子７、８を充填した後、前記背面側基板２に前面側基板１を、隔壁４の頂部どうしが突き合わされるように重ね合わせ、前面側基板１と背面側基板２の周縁部を封着する。【選択図】図１
2014122955.tif 000002
【特許請求の範囲】
【請求項１】
互いに空間を開けて対向するように配置された透明な前面側基板及び背面側基板と、前記前面側基板及び背面側基板に形成されかつ複数の表示セルが形成されるように前記空間を区切る井桁形状の隔壁と、前記前面側基板及び背面側基板の互いに対向する面に形成された電極と、前記隔壁により区切られた空間に配置された色及び帯電特性の異なる２種類の表示粒子とを備え、前記表示粒子に電界を与えて、前記表示粒子を飛翔移動させることにより画像を表示する表示装置であって、前記背面側基板のそれぞれの隔壁内に表示粒子を充填した後、前記背面側基板に前記前面側基板を、隔壁の頂部どうしが突き合わされるように重ね合わせ、前記前面側基板と背面側基板の周縁部を封着することを特徴とする表示装置の製造方法。
【発明の詳細な説明】
【技術分野】
【０００１】
本技術は、例えばクーロン力を利用した粒子の飛翔移動に伴い、画像を繰り返し表示したり、消去したりすることができる表示装置の製造方法に関するものである。
【背景技術】
【０００２】
従来、液晶（ＬＣＤ）に代わる画像表示装置として、電気泳動方式、エレクトロクロミック方式、サーマル方式、２色粒子回転方式等の技術を用いた画像表示装置が提案されている。
【０００３】
これら従来技術は、ＬＣＤと比較すると、通常の印刷物に近い広い視野角が得られる、消費電力が小さい、メモリ機能を有している等のメリットがあることから、次世代の安価な画像表示装置に使用可能な技術として考えられており、携帯端末用画像表示、電子ペーパー等への展開が期待されている。特に最近では、分散粒子と着色溶液から成る分散液をマイクロカプセル化し、これを対向する基板間に配置して成る電気泳動方式が提案され、期待が寄せられている（例えば、特許文献１参照）。
【先行技術文献】
【特許文献】
【０００４】
【特許文献１】特開２００３−２４８２４５号公報
【発明の概要】
【発明が解決しようとする課題】
【０００５】
本技術はこのような表示装置において、画質の向上を図ることを目的とする。
【課題を解決するための手段】
【０００６】
本技術は、互いに空間を開けて対向するように配置された透明な前面側基板及び背面側基板と、前記前面側基板及び背面側基板に形成されかつ複数の表示セルが形成されるように前記空間を区切る井桁形状の隔壁と、前記前面側基板及び背面側基板の互いに対向する面に形成された電極と、前記隔壁により区切られた空間に配置された色及び帯電特性の異なる２種類の表示粒子とを備え、前記表示粒子に電界を与えて、前記表示粒子を飛翔移動させることにより画像を表示する表示装置であって、前記背面側基板のそれぞれの隔壁内に表示粒子を充填した後、前記背面側基板に前記前面側基板を、隔壁の頂部どうしが突き合わされるように重ね合わせ、前記前面側基板と背面側基板の周縁部を封着することを特徴とする。
【発明の効果】
【０００７】
本技術によれば、隔壁頂部への粒子の残留量を大幅に減少させることができるため、隔壁頂部に残留した粒子によるコントラストの低下を防ぐことができる。また、設計した隔壁の高さによってセル内への粒子充填量が決まるため、充填量のばらつきを抑えることができ、画質を向上させることができる。
【図面の簡単な説明】
【０００８】
【図１】本技術の一実施の形態による表示装置の概略構成を示す断面図
【図２】同表示装置の要部を拡大して示す平面図
【図３】同表示装置の組立て時の様子を示す断面図
【図４】同表示装置の表示駆動原理を説明するための断面図
【発明を実施するための形態】
【０００９】
以下、本技術の一実施の形態による表示装置について、図面を参照して説明する。
【００１０】
図１は、本技術の一実施の形態による表示装置の概略構成を示す断面図である。
【００１１】
図１に示すように、本技術による表示装置は、互いに空間を開けて対向するように配置された透明な前面側基板１及び背面側基板２と、前記前面側基板１及び背面側基板２に形成されかつ複数の表示セル３が形成されるように前記空間を区切る井桁形状の隔壁４と、前記前面側基板１及び背面側基板２の互いに対向する面に形成された電極５、６と、前記隔壁４により区切られた空間に配置された色及び帯電特性の異なる２種類の表示粒子７、８とを備え、前記表示粒子７、８に電界を与えて、前記表示粒子７、８を飛翔移動させることにより画像を表示する構成である。また、表示粒子７は負帯電性の粒子であり、表示粒子８は正帯電性の粒子である。
【００１２】
図２は、図１に示す表示装置において、前記前面側基板１及び背面側基板２に形成された隔壁４と、電極５、６を拡大して示す平面図である。図２に示すように、前面側基板１及び背面側基板２には、井桁形状に隔壁４が形成され、その井桁形状の隔壁４内の前面側基板１及び背面側基板２上に電極５、６が形成されている。
【００１３】
図３は、表示装置の組立て時の様子を示す断面図である。図３に示すように、井桁形状に隔壁４を形成するとともに、その井桁形状の隔壁４内に電極５、６を形成した前面側基板１及び背面側基板２を準備し、その後背面側基板２のそれぞれの隔壁４内に表示粒子７、８を充填した後、背面側基板２に前面側基板１を、隔壁４の頂部どうしが突き合わされるように重ね合わせ、前面側基板１と背面側基板２の周縁部を封着することにより、表示装置のパネル部分の組み立てが完了する。
【００１４】
図４は、本技術の一実施の形態による表示装置の表示駆動原理を説明するための断面図である。
【００１５】
図４（ａ）は、初期状態を示すもので、電極５側が高電位、電極６側が低電位となるように電圧が印加され、クーロン力によって、表示粒子７は電極５側に飛翔移動し、表示粒子８は電極６側に飛翔移動している。
【００１６】
この状態で、表示セル毎に前面側基板１の電極５と背面側基板２の電極６間に、表示に対応した電圧を印加することにより、図４（ｂ）に示すように、前面側基板１の電極５に帯電状態の異なる表示粒子７、８のいずれかが選択的に付着し、これにより所定の表示を行うことができる。
【００１７】
図４（ｂ）の状態では、前面側基板１側から見たときの表示面は、表示粒子８の色に見えることとなる。また、別の表示セルでは、前面側基板１側から見たときの表示面は、表示粒子７の色に見えることとなる。例えば、表示粒子７を白色とし、表示粒子８を黒色とするか、表示粒子７を黒色とし、表示粒子８を白色とすると、表示は白色及び黒色間の可逆表示となる。一旦表示を行うと、各表示粒子７、８は鏡像力により電極５に付着した状態になるので、電圧印加を中止した後も表示画像は長期に保持されることになる。
【００１８】
ここで、前面側基板１上に設ける電極５は、透明かつパターン形成可能な導電材料で形成される。このような導電材料としては、アルミニウム、銀、ニッケル、銅、金等の金属やＩＴＯ、導電性酸化スズ、導電性酸化亜鉛等の透明導電金属酸化物をスパッタリング法、真空蒸着法、ＣＶＤ法、塗布法等で薄膜状に形成したもの、あるいは、導電剤を溶媒あるいは合成樹脂バインダーに混合して塗布したものが用いられる。背面側基板２上には、上記電極５と同様に透明電極材料を使用することもできるが、アルミニウム、銀、ニッケル、銅、金等の非透明電極材料も使用可能である。
【００１９】
さらに、表示粒子７、８は負帯電性または正帯電性の着色粒子であり、クーロン力により飛翔移動するものであればよく、球形で比重の小さい粒子が望ましい。
【００２０】
以上のように本技術においては、互いに空間を開けて対向するように配置された透明な前面側基板１及び背面側基板２と、前面側基板１及び背面側基板２に形成されかつ複数の表示セル３が形成されるように前記空間を区切る井桁形状の隔壁４と、前面側基板１及び背面側基板２の互いに対向する面に形成された電極５、６と、前記隔壁４により区切られた空間に配置された色及び帯電特性の異なる２種類の表示粒子７、８とを備えた表示装置の製造方法において、背面側基板２のそれぞれの井桁形状の隔壁４内に表示粒子７、８を充填した後、前記背面側基板２に前面側基板１を、隔壁４の頂部どうしが突き合わされるように重ね合わせ、前面側基板１と背面側基板２の周縁部を封着する方法である。
【００２１】
これにより、隔壁４頂部への表示粒子７、８の残留量を大幅に減少させることができるため、隔壁４頂部に残留した表示粒子７、８によるコントラストの低下を防ぐことができる。また、設計した隔壁４の高さによってセル内への粒子充填量が決まるため、充填量のばらつきを抑えることができ、画質を向上させることができる。
【産業上の利用可能性】
【００２２】
以上説明したように、本技術によれば、表示装置の画質を向上させる上で有用な発明である。
【符号の説明】
【００２３】
１  前面側基板
２  背面側基板
３  表示セル
４  隔壁
５、６  電極
７、８  表示粒子
【図１】
2014122955.tif 000003
【図２】
2014122955.tif 000004
【図３】
2014122955.tif 000005
【図４】
2014122955.tif 000006